(57)【要約】【課題】原本を複写機で複写したとき、原本における像とは異なる像が現れる印刷物を作成する。【解決手段】印刷制御装置は、複写前表示画像９０１と複写後表示画像９０２とを重ね合わせたとき、複写前表示画像９０１、複写後表示画像９０２において像の領域９０４を、複写前表示画像９０１の像と同じ色Ｂの残存点の集合に変換し、複写前表示画像９０１において像の領域であるが、複写後表示画像９０２において背景の領域９０６を、複写前表示画像９０１の像と同じ色Ｂの消失点の集合に変換し、複写前表示画像９０１において背景の領域であるが、複写後表示画像９０２において像の領域９０５を、複写前表示画像９０１における背景色と同じ色Ａの残存点の集合に変換し、複写前表示画像９０１、複写後表示画像９０２においても背景の領域９０７を、複写前表示画像９０１における背景色と同じ色Ａの消失点の集合に変換した画像を出力する。【選択図】図９
2008245067.tif 000002
【特許請求の範囲】
【請求項１】
複写機による複写によって消失する消失点と、前記複写機により複写しても残存する残存点とにより構成された画像の印刷データを作成するための印刷制御装置であって、
複写前に表示する複写前表示画像および複写後に表示する複写後表示画像の入力および処理部で作成された印刷データの出力を行うインタフェース部と、
前記入力された複写前表示画像および複写後表示画像と、前記複写機における前記消失点および前記残存点となるドットのドットサイズを示した変換パターン情報とを記憶する記憶部と、
前記入力された複写前表示画像と複写後表示画像との座標を合わせ、前記複写前表示画像と前記複写後表示画像とを重ね合わせたとき、
（１）前記複写前表示画像においても、前記複写後表示画像においても像のある領域を、前記記憶部の変換パターン情報を参照して、前記残存点の集合に変換し、
（２）前記複写前表示画像において像のある領域であるが、前記複写後表示画像において背景となる領域を、前記記憶部の変換パターン情報を参照して、前記消失点の集合に変換し、
前記変換した残存点および消失点の集合である画像の印刷データを前記インタフェース部経由で出力する前記処理部と、
を備えることを特徴とする印刷制御装置。
【請求項２】
前記入力される複写前表示画像は、複数色の画像であり、
前記処理部は、
前記入力された複写前表示画像と複写後表示画像との座標を合わせ、前記複写前表示画像と前記複写後表示画像の像とを重ね合わせたとき、
（１）前記複写前表示画像においても、前記複写後表示画像においても像のある領域を、前記記憶部の変換パターン情報を参照して、前記複写前表示画像の像と同じ色の前記残存点の集合に変換し、
（２）前記複写前表示画像において像のある領域であるが、前記複写後表示画像において背景となる領域を、前記記憶部の変換パターン情報を参照して、前記複写前表示画像における像と同じ色の前記消失点の集合に変換し、
（３）前記複写前表示画像において背景となる領域であるが、前記複写後表示画像において像のある領域を、前記記憶部の変換パターン情報を参照して、前記複写前表示画像における背景となる領域の色と同じ色の前記残存点の集合に変換し、
（４）前記複写前表示画像においても、前記複写後表示画像においても背景となる領域を、前記記憶部の変換パターン情報を参照して、前記複写前表示画像において背景となる領域の色と同じ色の前記消失点の集合に変換することを特徴とする請求項１に記載の印刷制御装置。
【請求項３】
複写機による複写によって消失する消失点と、前記複写機により複写しても残存する残存点となるドットのドットサイズを示した変換パターン情報を記憶する記憶部を備え、前記消失点および残存点により構成された画像の印刷データを作成する印刷制御装置が、
複写前に表示する複写前表示画像および複写後に表示する複写後表示画像の入力を受け付け、
前記入力された複写前表示画像と複写後表示画像との座標を合わせ、前記複写前表示画像と前記複写後表示画像とを重ね合わせ、
前記複写前表示画像においても、前記複写後表示画像においても像となる領域を、前記記憶部の変換パターン情報を参照して、前記残存点の集合に変換し、
前記複写前表示画像において像のある領域であるが、前記複写後表示画像において背景となる領域を、前記記憶部の変換パターン情報を参照して、前記消失点の集合に変換し、
前記変換した残存点および消失点の集合である画像の印刷データを出力することを特徴とする印刷制御方法。
【請求項４】
前記入力される複写前表示画像は、複数色の画像であり、
前記印刷制御装置が、
前記入力された複写前表示画像と複写後表示画像との座標を合わせ、前記複写前表示画像と前記複写後表示画像の像とを重ね合わせたとき、
（１）前記複写前表示画像においても、前記複写後表示画像においても像となる領域を、前記記憶部の変換パターン情報を参照して、前記複写前表示画像の像と同じ色の前記残存点の集合に変換し、
（２）前記複写前表示画像において像のある領域であるが、前記複写後表示画像において背景となる領域を、前記記憶部の変換パターン情報を参照して、前記複写前表示画像の像と同じ色の前記消失点の集合に変換し、
（３）前記複写前表示画像において背景となる領域であるが、前記複写後表示画像において像のある領域を、前記記憶部の変換パターン情報を参照して、前記複写前表示画像における背景となる領域の色と同じ色の前記残存点の集合に変換し、
（４）前記複写前表示画像においても、前記複写後表示画像においても背景となる領域を、前記記憶部の変換パターン情報を参照して、前記複写前表示画像において背景となる領域の色と同じ色の前記消失点の集合に変換することを特徴とする請求項３に記載の印刷制御方法。
【請求項５】
請求項３または請求項４に記載の印刷制御方法を、印刷制御装置であるコンピュータに実行させることを特徴とする印刷制御プログラム。
【発明の詳細な説明】
【技術分野】
【０００１】
本発明は、印刷制御技術に関する。
【背景技術】
【０００２】
従来、金券や各種認定書、証明書等の重要な印刷物（原本）の不正使用を防ぐために、様々な複写牽制技術が提案されている。例えば、（１）原本のうち、複写を許可したくない領域に、複写機による複写によって消失する複写消失画像を用いる技術や、（２）不正な複写を牽制するため、複写後、原本では視認できない文字（例えば「禁複写」等）や画像等が複写物に浮かび上がるようにする技術が提案されている。この技術を用いることで、原本を複写したとき所定の画像を消失させたり、原本にはない画像を浮かび上がらせたりすることができる（特許文献１参照）。
【特許文献１】特開２００４−２０９８７１号公報
【発明の開示】
【発明が解決しようとする課題】
【０００３】
しかし、従来、原本を複写したとき、その原本における像とは全く別の像が現れる技術は提案されていなかった。そこで、本発明は、前記した問題を解決し、原本を複写したとき、その原本における像とは全く別の像が現れる手段を提供することを目的とする。
【課題を解決するための手段】
【０００４】
前記した課題を解決するため、本発明の印刷制御装置は、入力された複写前表示画像と複写後表示画像とが入力されると、これらの画像の座標を合わせ、複写前表示画像と複写後表示画像の像とを重ね合わせたとき、（１）複写前表示画像においても、複写後表示画像においても像のある領域を、複写前表示画像の像と同じ色の残存点の集合に変換し、（２）複写前表示画像において像のある領域であるが、複写後表示画像において背景の領域（像のない領域）を、複写前表示画像における像と同じ色の消失点の集合に変換し、（３）複写前表示画像において背景の領域（像のない領域）であるが、複写後表示画像において像のある領域を、複写前表示画像における背景色（像のない領域の色）と同じ色の残存点の集合に変換し、（４）複写前表示画像においても、複写後表示画像においても背景の領域（像のない領域）を、複写前表示画像における背景色（像のない領域の色）と同じ色の消失点の集合に変換した画像の印刷データを出力する構成とした。
【０００５】
このような印刷制御装置によれば、（１）複写前表示画像においても、複写後表示画像においても像のある領域を、複写前表示画像の像と同じ色の残存点の集合に変換するので、この領域の複写後、像が残る。また、（２）複写前表示画像において像のある領域であるが、複写後表示画像において背景の領域を、複写前表示画像における像と同じ色の消失点の集合に変換するので、この領域の複写後、像が消える。さらに、（３）複写前表示画像において背景の領域であるが、複写後表示画像において像のある領域を、複写前表示画像における背景色と同じ色の残存点の集合に変換するので、この領域の複写後、像が現れる。また、（４）複写前表示画像においても、複写後表示画像においても背景の領域を、複写前表示画像における背景色と同じ色の消失点の集合に変換するので、複写しても背景の領域は背景のままとなる。
【発明の効果】
【０００６】
本発明によれば、印刷した原本を複写したとき、その原本における像とは全く別の像が現れるようにできる。従って、例えば、複写前表示画像に「原本」という文字を示し、複写後表示画像においては、この「原本」という文字が消え、「禁複写」という文字が現れる印刷物（原本）を作成する。このような印刷物によれば、この印刷物を閲覧する者に、当該印刷物が原本であること、また、その印刷物を複写した場合、その文書が複写物であること等を明確に認識させることができる。従って、重要文書等の複写を効果的に抑止できるという効果も得られる。
【発明を実施するための最良の形態】
【０００７】
以下、本発明を実施するための最良の形態（以下、実施の形態という）を、図面を参照しながら説明する。まず、本実施の形態の印刷制御装置の概要を説明する。図１および図２は、本実施の形態の印刷制御装置の動作概要を説明する図である。
【０００８】
まず、印刷制御装置は、複写前表示画像１０１および複写後表示画像１０２を読み込む。そして、印刷制御装置は、メインメモリ上に処理画像（印刷画像）の出力領域を確保する。次に、印刷制御装置は、図１（ａ）に例示するように、画像左上頂点を基準に３つの画像（複写前表示画像１０１、複写後表示画像１０２、出力領域）の座標を合わせる。
【０００９】
そして、印刷制御装置は、図１（ｂ）に例示するように複写前表示画像上に処理対象ピクセルを決定し、左端から右方向に１ピクセルずつ移動する。そして、印刷制御装置は、この処理対象ピクセルが、有色か否かを判断する。また、印刷制御装置は、複写後表示画像の処理対象ピクセルについても、有色か否かを判断する。そして、印刷制御装置は、その判断結果をもとに、この処理対象ピクセルを、消失点（複写機による複写によって消失する点）に変換するか、残存点（複写機により複写しても残存する残存点）に変換するかを判断する。
【００１０】
例えば、印刷制御装置は、図１（ａ）に例示した複写前表示画像１０１および複写後表示画像１０２に基づき、それぞれの画像におけるピクセルを、消失点または残存点に変換し、図２（ａ）の符号２００に示す画像を作成する。つまり、印刷制御装置は、複写前表示画像の像の領域（星型）と複写後表示画像の像の領域（月型）とが重なる領域２０２は残存点に変換する。また、複写前表示画像の像（星型の像）の領域のうち、複写後表示画像の像（月型の像）の領域と重ならない領域２０１を消失点に変換した画像を作成する。このような画像を印刷データとしてプリンタへ出力し、このプリンタにより印刷された印刷物を複写すると、符号２０３に示すように、符号２０１に示す複写前表示画像の像（星型の像）は消え、複写後表示画像の像（月型の像）が現れる。
【００１１】
なお、本実施の形態における残存点とは、図２（ｂ）に示すように、複写機が読み取り可能な最小サイズよりも大きなサイズのドット（点）であり、消失点とは、複写機が読み取り可能な最小サイズよりも小さなサイズのドットのことである。このように、印刷制御装置が、残存点と消失点とを使い分けて印刷データを作成することで、この印刷データの印刷物が複写されたとき、所定の領域の像は複写可能とするが、所定の領域の像は複写不可能とすることができる。なお、この消失点および残存点のドットサイズに関する情報は、印刷制御装置の変換パターン情報３１１（後記）に登録されている。なお、本実施の形態における残存点に代えて、複写機が読み取り可能な最小サイズよりも大きなサイズの線（残存線）を用いてもよく、消失点に代えて、複写機が読み取り可能な最小サイズよりも小さなサイズの線（消失線）を用いてもよい。
【００１２】
次に、このような印刷制御装置の構成を、図３を用いて説明する。図３は、本実施の形態の印刷制御装置の構成を示した機能ブロック図である。
【００１３】
印刷制御装置３００は、このプリンタ３１７へ出力する印刷データ（画像データ）を作成する。この印刷制御装置３００は、ＣＰＵ（Central Processing Unit）３２、補助記憶部３４、Ｉ／Ｆ（インタフェース）部３５、メインメモリ３６等を含むコンピュータにより実現される。この印刷制御装置３００には、プリンタ３１７の他に、ＣＰＵ３２により処理された画像や各種パラメータを表示するディスプレイ３１４や、各種パラメータの入力を行うためのキーボード３１５、マウス３１６等の入力手段が接続される。なお、請求項における処理部の機能は、ＣＰＵ３２が、補助記憶部３４に格納されたプログラムをメインメモリ３６上に展開し実行することで実現される。
【００１４】
ＣＰＵ３２は、補助記憶部３４に格納されたプログラムに基づき、例えば、図１（ａ）に示すような複写前表示画像１０１および複写後表示画像１０２をもとに、消失点と残存点との組み合わせからなる画像２００（図２（ａ）参照）を作成する。
【００１５】
補助記憶部３４は、ＨＤＤ（Hard Disk Drive）や、フラッシュメモリ、ＲＯＭ（Read Only Memory）等の記憶媒体から構成される。この補助記憶部３４には、印刷制御装置３００の機能を実現するための各種データ（後記する変換パターン情報３１１等）や、プログラム（ＯＳ（Operating System）３７、プリンタドライバ３８、アプリケーション３９等）が格納される。なお、図３において、この補助記憶部３４に格納される各種データやプログラムがメインメモリ３６上にロードされた状態を示している。
【００１６】
Ｉ／Ｆ部３５は、プリンタ３１７、ディスプレイ３１４、キーボード３１５、マウス３１６等の外部装置とのデータ入出力を司るインタフェースである。例えば、このＩ／Ｆ部３５は、外部から入力された複写前表示画像や複写後表示画像をＣＰＵ３２に受け渡したり、ＣＰＵ３２が作成した印刷データをプリンタ３１７等に出力したりする。
【００１７】
メインメモリ３６は、ＲＡＭ（Random Access Memory）等の記憶媒体から構成され、前記したＣＰＵ３２が各種演算処理を行うときに用いられる。なお、前記したとおり、図３のメインメモリ３６は、補助記憶部３４に格納される各種データやプログラムがロードされた状態を示している。このメインメモリ３６は、ＯＳ３７、プリンタドライバ３８、アプリケーション３９を備え、所定領域に印刷情報記憶部３１０を備える。また、ＣＰＵ３２が印刷データの画像を作成する際には、このメインメモリ３６上にその画像用の出力領域を確保する。なお、請求項における記憶部とは、このメインメモリ３６および前記した補助記憶部３４に相当する。
【００１８】
ＯＳ３７は、この印刷制御装置３００のオペレーションシステムである。また、プリンタドライバ３８は、プリンタ３１７を動作させるためのドライバである。さらに、アプリケーション（印刷制御プログラム）３９は、ＣＰＵ３２が、複写前表示画像および複写後表示画像をもとに、消失点と残存点との組み合わせからなる印刷画像を作成するためのアプリケーションである。このアプリケーション３９の詳細は、フローチャートを用いて後記する。
【００１９】
印刷情報記憶部３１０は、印刷画像を作成するときに用いる設定情報のパラメータを示した変換パターン情報３１１を備える。
【００２０】
図４は、図３の変換パターン情報を例示した図である。図４に例示するように、変換パターン情報３１１は、管理ＩＤごとに、印刷画像の保存形式（解像度、画像形式等）のパラメータ、変換条件のパラメータ、複写前表示画像、複写後表示画像等を対応付けて記録した情報である。この保存形式における解像度とは、例えば、プリンタ３１７において印刷可能な解像度を示したものである。また、画像形式は、印刷画像を保存するときに選択可能なファイル形式（ＴＩＦＦ（Tagged Image File Format）、Ｂｉｔｍａｐ等）を示したものである。
【００２１】
また、この変換パターン情報３１１における変換条件は、編集範囲（画像領域）ごとに、その編集範囲における消失点および残存点それぞれのドットサイズ、描画密度等のパラメータを含む。このように編集範囲ごとのパラメータを持つことで、印刷制御装置３００は、例えば、１つの画像について、複数の異なる変換パターンで変換することもできる。また、この変換条件は、この印刷制御装置３００が一度に変換する変換箇所数（一度に変換する編集範囲の数）等のパラメータを含んでいてもよい。なお、この編集範囲は、画像のＸ座標、Ｙ座標の組み合わせ等により記述される。
【００２２】
例えば、図４に例示した変換パターン情報３１１における変換条件のうち、「編集範囲１」のドットパターンは、消失点のドットサイズが「６００ｄｐｉ」であることを示す。また、その消失点の描画密度は「ｘｘ％」であることを示している。また、この「編集範囲１」の残存点のドットサイズが「４００ｄｐｉ」であることを示す。また、その残存点の描画密度は「ｚｚ％」であることを示している。なお、ここでは、説明を簡単にするため、それぞれの編集範囲に１つのパラメータしか示していないが、実際には１以上のパラメータが設定される。また、消失点および残存点のドットサイズは、前記したサイズに限定されない。例えば、複写機の読取精度が向上すれば、消失点のドットサイズは「６００ｄｐｉ」よりも小さいサイズを設定することになる。すなわち、変換パターン情報３１１に登録される消失点のドットサイズは、複写機の最小読取サイズよりも小さいサイズを設定し、残存点のドットサイズも複写機の最小読取サイズよりも大きいサイズを設定しておけば、前記したサイズに限定されない。
【００２３】
変換パターン情報３１１の変換条件に含まれるドットパターンは、ランダムや定点等、ドットの配置方法のパラメータを含んでいてもよい。変換パターン情報３１１がこのようなパラメータを持つことで、この印刷制御装置３００は、利用者の所望する形式の印刷データを作成したり、プリンタ３１７の印刷環境に合わせた印刷データを作成したりできる。なお、パラメータの選択は、前記したキーボード３１５や、マウス３１６等の入力手段により行われる。
【００２４】
なお、複写前表示画像の色は、単色複写（モノクロ複写等）したときに残存する色（マゼンダやシアン等）とするのが好ましい。このようにすることで、印刷制御装置３００が作成した印刷画像の印刷物をモノクロ複写した場合において、前記したような複写後の像の変化を確実なものとすることができる。
【００２５】
次に、図３および図４を参照しつつ、図５〜図８を用いて、印刷制御装置３００の処理手順を説明する。図５は、図３の印刷制御装置のアプリケーションに基づくＣＰＵの動作手順を示すフローチャートである。なお、以下の説明において、各表示画像における背景の領域とは、像のない（被写体の背景または下地となる）領域を示す。
【００２６】
まず、図３のＣＰＵ３２は、Ｉ／Ｆ部３５経由で、複写前表示画像と複写後表示画像の入力を受け付ける（Ｓ５０１）。ここで入力される複写前表示画像は、例えば、画像における像の色および形状を示したものであり、複写後表示画像は、例えば、画像における像の形状を示したもの（無彩色の表示画像）である。また、ＣＰＵ３２は、キーボード３１５やマウス３１６等の入力手段により、このＣＰＵ３２が印刷データを作成する際の保存形式に関するパラメータの選択入力を受け付ける（Ｓ５０２）。例えば、ＣＰＵ３２は、変換パターン情報３１１に登録された保存形式のパラメータをディスプレイ３１４等に表示し、この保存形式のパラメータの選択入力を受け付ける。このとき受け付けたパラメータの選択結果は、変換パターン情報３１１に記憶しておく。ここで選択入力されるパラメータは、解像度や、複写前表示画像（および複写後表示画像）の各領域（像や背景）ごとの色や、印刷画像を保存するときに選択可能なファイル形式等である。次に、ＣＰＵ３２は、メインメモリ３６上に処理画像の出力領域を確保する（Ｓ５０３）。そして、ＣＰＵ３２は、Ｓ５０１で入力された複写前表示画像と複写後表示画像と出力領域の座標を合わせる（Ｓ５０４）。次に、ＣＰＵ３２は、印刷画像を作成する際の変換条件に関するパラメータの選択入力を受け付ける（Ｓ５０５）。このとき受け付けたパラメータの選択結果も、変換パターン情報３１１に記憶しておく。そして、ＣＰＵ３２は、複写前表示画像と、複写後表示画像を、Ｓ５０２で選択された解像度および画像形式の画像に変換した後、この複写前表示画像における処理対象ピクセルを決定する（Ｓ５０６）。
【００２７】
なお、このときの処理対象ピクセルの決定方法は、例えば、前記した図１（ｂ）のように、まず、複写前表示画像の左端に処理対象となるピクセルを決定し、右方向に１ピクセルずつ移動していく。ここで、このＣＰＵ３２が印刷画像を単色で作成する場合（Ｓ５０７のＹｅｓ）、単色用の変換処理を行い（Ｓ５０８）、印刷画像を多色で作成する場合（Ｓ５０７のＮｏ）、多色用の変換処理を行う（Ｓ５０９）。この単色用の変換処理（Ｓ５０７）および多色用の変換処理（Ｓ５０８）の詳細は、後記する。このような変換処理の後、ＣＰＵ３２が、Ｓ５０１で入力された複写前表示画像のすべてのピクセルの変換処理を終了すると（Ｓ５１０のＹｅｓ）、メインメモリ３６上の出力領域のデータを印刷データに変換する（Ｓ５１１）。そして、その印刷データをＩ／Ｆ部３５経由でプリンタ３１７へ出力し、プリンタ３１７はその印刷データを印刷する。
【００２８】
次に、前記したＳ５０８の処理の詳細を、適宜図３〜図５を参照しつつ、図６および図７を用いて説明する。図６は、図５のＳ５０８の処理の詳細を説明するフローチャートであり、図７は、図６の処理手順を説明するために引用した図である。ここでは、ＣＰＵ３２が、図７の複写前表示画像７０１と、複写後表示画像７０２とに基づいて符号７０３に示す画像を作成する場合を例に説明する。
【００２９】
図３のＣＰＵ３２が、図５のＳ５０６で決定した処理対象ピクセルについて、その処理対象ピクセルが複写後表示画像上で有色と判断した場合（Ｓ６０１のＹｅｓ）、つまり、複写後表示画像および複写前表示画像で像となっている領域（例えば、図７の領域７０５）のピクセルと判断した場合、このピクセルを、残存点に変換すると判断する（Ｓ６０２）。
【００３０】
一方、ＣＰＵ３２が、処理対象ピクセルを複写後表示画像上で無色（Ｓ６０１のＮｏ）だが、複写前表示画像上で有色と判断した場合（Ｓ６０３のＹｅｓ）、つまり、このピクセルを複写後表示画像で背景の領域だが、複写前表示画像で像のある領域（図７の領域７０４）のピクセルと判断した場合、このピクセルを、消失点に変換すると判断する（Ｓ６０４）。
【００３１】
一方、ＣＰＵ３２が、処理対象ピクセルを複写後表示画像上で無色（Ｓ６０１のＮｏ）、かつ、複写前表示画像上でも無色と判断した場合（Ｓ６０３のＮｏ）、つまり、ＣＰＵ３２は、このピクセルを複写後表示画像および複写前表示画像で背景の領域（例えば、図７の領域７０６）のピクセルと判断した場合、このピクセルを無色のままにすると判断する（Ｓ６０５）。
【００３２】
ＣＰＵ３２は、このようなピクセルごとの判断結果（残存点に変換するか、消失点に変換するか、無色のままにするか）をメインメモリ３６に記憶しておく。そして、このピクセルごとの判断結果と、Ｓ５０５で選択された変換条件（図４参照）とに基づき、残存点と判断したピクセルの集合を残存点の集合に変換し、消失点と判断したピクセルの集合を消失点の集合に変換し、無色のままと判断したピクセルの領域は無色のままとして、出力領域に出力する。
【００３３】
例えば、図７において複写後表示画像と複写前表示画像とで像が重なっている領域（領域７０５）が、図５のＳ５０５で選択された変換条件（図４参照）の「編集領域１」に属する場合、ＣＰＵ３２は、この領域のピクセルをドットサイズ「４００ｄｐｉ」、描画密度は「ｚｚ％」の残存点の集合に変換して、出力領域に出力する。また、図７において複写前表示画像における像の領域のうち、複写後表示画像において像の領域ではない領域（領域７０４）も、「編集領域１」に属する場合、ＣＰＵ３２は、ドットサイズ「６００ｄｐｉ」、描画密度は「ｘｘ％」の消失点の集合に変換して、出力領域に出力する。なお、ＣＰＵ３２は、図７の領域７０６のピクセルは、無色の点の集合として、出力領域に出力する。なお、ここでＣＰＵ３２が変換する残存点および消失点の色は、複写前表示画像における当該処理対象ピクセルの色と同じ色である。
【００３４】
ＣＰＵ３２は、このようにして出力領域に出力された画像９０３を印刷データに変換し、プリンタ３１７により印刷する。そして、その印刷物を複写すると、符号９０８に示すような像が現れる。ＣＰＵ３２は、このようにして出力領域に出力した画像７０３を、印刷データに変換し、この印刷データをプリンタ３１７に出力して、印刷する。そして、その印刷物を複写すると、符号７０７に示すような像が現れる。すなわち、符号７０１に示す星型の像を複写後、符号７０２に示す月型の像が現れるようにすることができる。
【００３５】
続いて、前記したＳ５０９の処理の詳細を、適宜図３〜図５を参照しつつ、図８および図９を用いて説明する。図８は、図５のＳ５０９の処理の詳細を説明するフローチャートであり、図９は、図８の処理手順を説明するために引用した図である。
【００３６】
ここでは、ＣＰＵ３２が、図９の複写前表示画像９０１と、複写後表示画像９０２とに基づいて符号９０３に示す画像を作成する場合を例に説明する。なお、図９において、複写前表示画像９０１の背景色は色Ａであり、像の色は色Ｂとする。また、複写後表示画像９０２は、前記したとおり、画像における像の形状を示したもの（無彩色の表示画像）であり、その背景色は無色である。また、以下の説明において、ＣＰＵ３２は、複写前表示画像９０１における像の色（色Ｂ）と同じ色のピクセルは「有色」と判断するが、複写前表示画像９０１における背景色（色Ａ）と同じ色のピクセルは「無色」と判断するものとする。
【００３７】
図３のＣＰＵ３２は、図５のＳ５０６で決定した処理対象ピクセルを、複写後表示画像上で有色（Ｓ８０１のＹｅｓ）、かつ、複写前表示画像上でも有色と判断した場合（Ｓ８０２のＹｅｓ）、つまり、複写後表示画像および複写前表示画像において像のある領域（例えば、図９の領域９０４）のピクセルと判断した場合、このピクセルを、複写前表示画像の像と同じ色の残存点に変換すると判断する（Ｓ８０３）。
【００３８】
また、ＣＰＵ３２は、図５のＳ５０６で決定した処理対象ピクセルを、複写後表示画像上で有色（Ｓ８０１のＹｅｓ）だが、複写前表示画像上で無色（複写前表示画像の背景色と同じ色）と判断した場合（Ｓ８０２のＮｏ）、つまり、このピクセルを、複写後表示画像において像であるが、複写前表示画像において背景となっている領域（例えば、図９の領域９０５）のピクセルと判断した場合、ＣＰＵ３２は、このピクセルを複写前表示画像の背景色と同じ色の残存点に変換すると判断する（Ｓ８０４）。
【００３９】
また、ＣＰＵ３２が、図５のＳ５０６で決定した処理対象ピクセルを、複写後表示画像上で無色（Ｓ８０１のＮｏ）だが、複写前表示画像上で有色と判断した場合（Ｓ８０５のＹｅｓ）、つまり、この処理対象ピクセルを、複写後表示画像において背景であるが、複写前表示画像において像のある領域（例えば、図９の９０５に示す領域）のピクセルと判断した場合、ＣＰＵ３２は、このピクセルを複写前表示画像の像と同じ色の消失点に変換すると判断する（Ｓ８０６）。
【００４０】
一方、ＣＰＵ３２が、その処理対象ピクセルを、複写後表示画像上で無色（Ｓ８０１のＮｏ）、かつ、複写前表示画像上でも無色（複写前表示画像の背景色と同じ色）と判断した場合（Ｓ８０５のＮｏ）、つまり、この処理対象ピクセルを、複写後表示画像および複写前表示画像において背景の領域（例えば、図９の領域９０７）のピクセルと判断した場合、ＣＰＵ３２は、このピクセルを複写前表示画像の背景色と同じ色（色Ａ）の消失点に変換すると判断する（Ｓ８０７）。
【００４１】
ＣＰＵ３２は、このようなピクセルごとの判断結果をメインメモリ３６に記憶しておく。そして、その判断結果と、Ｓ５０５で選択された変換条件（図４参照）とに基づき、各処理対象ピクセルの変換を行い、出力領域に出力する。
【００４２】
例えば、ＣＰＵ３２は、図９において複写後表示画像９０１と複写前表示画像９０２とで像が重なっている領域９０４を、複写前表示画像９０１の像と同じ色（色Ｂ）の残存点の集合に変換して、出力領域に出力する。このときの残存点のドットサイズ、描画密度等は、ＣＰＵ３２が、図５のＳ５０５で選択された変換条件（図４参照）を参照して決定する。このような変換をすることで、領域９０４について複写後も像が残るようにすることができる。
【００４３】
また、ＣＰＵ３２は、複写後表示画像９０２において像であるが、複写前表示画像９０１において背景となっている領域９０５を、複写前表示画像９０１の背景色と同じ色（色Ａ）の残存点の集合に変換して、出力領域に出力する。ここでの残存点のドットサイズ、描画密度等も、図５のＳ５０５で選択された変換条件（図４参照）を参照して決定する。このような変換をすることで、複写前では背景色にまざって像が見えなかった領域において、複写後、像が見えるようにすることができる。
【００４４】
また、ＣＰＵ３２は、図９の領域９０６を、色Ｂの消失点の集合に変換する。つまり、ＣＰＵ３２は、複写前表示画像９０１で像であるが、複写後表示画像９０２では背景となっている領域９０６を、複写前表示画像９０１の像と同じ色（色Ｂ）の消失点の集合に変換して、出力領域に出力する。ここでの消失点のドットサイズ、描画密度等も、図５のＳ５０５で選択された変換条件（図４参照）を参照して決定する。これにより、複写前では像が見えた領域を、複写後、見えないようにすることができる。
【００４５】
また、ＣＰＵ３２は、図９の領域９０７を、色Ａの消失点の集合に変換する。つまり、ＣＰＵ３２は、複写後表示画像９０２および複写前表示画像９０１で背景となっている領域９０７を、複写前表示画像９０１の背景色と同じ色（色Ａ）の消失点の集合に変換して、出力領域に出力する。ここでの消失点のドットサイズ、描画密度等も、図５のＳ５０５で選択された変換条件（図４参照）を参照して決定する。これにより、複写前表示画像において背景だった領域を、複写後も背景とすることができる。
【００４６】
ＣＰＵ３２は、このようにして出力領域に出力された画像９０３を印刷データに変換し、プリンタ３１７により印刷する。そして、その印刷物を複写すると、符号９０８に示すような像が現れる。すなわち、符号９０１に示す四角形の像を複写後、複写物に、符号９０２に示す像（円）と同じ像が現れることになる。
【００４７】
また、図８のＳ８０３において、図３のＣＰＵ３２は、処理対象ピクセルを、複写後表示画像および複写前表示画像において像のある領域（例えば、図９の領域９０４）のピクセルと判断した場合、この領域を、複写前表示画像の像と同じ色の残存点の集合に変換するのは、複写前表示画像における像の領域（図９の領域９０４および領域９０６）が複写前表示画像の像と同じ色に統一されるからである。つまり、複写前表示画像における像の領域の色むらがなくなるので、符号９０３に示す画像は、複写前表示画像９０１とほぼ同じ画像とすることができるからである。
【００４８】
なお、前記した実施の形態において、印刷制御装置３００は、画像において背景となる領域を像として変換処理を行うようにしてもよいし、像となる領域を背景として変換処理を行うようにしてもよい。
【００４９】
本実施の形態に係る印刷制御装置３００は、前記したような処理を実行させるアプリケーション３９（印刷制御プログラム）によって実現することができ、そのプログラムをコンピュータによる読み取り可能な記憶媒体（ＣＤ−ＲＯＭ等）に記憶して提供することが可能である。また、そのプログラムを、ネットワークを通して提供することも可能である。
【図面の簡単な説明】
【００５０】
【図１】本実施の形態の印刷制御装置の概要を説明する図である。
【図２】本実施の形態の印刷制御装置の概要を説明する図である。
【図３】本実施の形態の印刷制御装置の構成を示した機能ブロック図である。
【図４】図３の変換パターン情報を例示した図である。
【図５】図３の印刷制御装置のアプリケーションに基づくＣＰＵの動作手順を示すフローチャートである。
【図６】図５のＳ５０８の処理の詳細を説明するフローチャートである。
【図７】図６の処理手順を説明するために引用した図である。
【図８】図５のＳ５０９の処理の詳細を説明するフローチャートである。
【図９】図８の処理手順を説明するために引用した図である。
【符号の説明】
【００５１】
３２    ＣＰＵ
３４    補助記憶部
３５    Ｉ／Ｆ部
３６    メインメモリ
３８    プリンタドライバ
３９    アプリケーション
３００  印刷制御装置
３１０  印刷情報記憶部
３１１  変換パターン情報
３１４  ディスプレイ
３１５  キーボード
３１６  マウス
３１７  プリンタ
【図１】
2008245067.tif 000003
【図２】
2008245067.tif 000004
【図３】
2008245067.tif 000005
【図４】
2008245067.tif 000006
【図５】
2008245067.tif 000007
【図６】
2008245067.tif 000008
【図７】
2008245067.tif 000009
【図８】
2008245067.tif 000010
【図９】
2008245067.tif 000011